(57)【要約】【課題】本発明は、凝縮器を効果的に冷却することができる凝縮器の冷却装置を提供する。【解決手段】本発明による凝縮器の冷却装置は、放熱のための放熱管を有し、蒸気を冷却して凝縮変化させる凝縮器の冷却装置において、内部空間を有し後方に流入口が形成され、内部に前記凝縮器が収納されるハウジング；前記ハウジングの前方に設けられ、前記ハウジング内部と通じるように排出口が貫通形成されるカバー；前記ハウジング内部に回転可能に設けられ、互いに対向して配置される一対のクロスフローファン；および前記ファンの間に互いに対向するように配置され、前記排出口側に向かって延びる一対の第１案内部材；を含むことができる。【選択図】図１
2018141426.tif 000002
【特許請求の範囲】
【請求項１】
放熱のための放熱管を有し、蒸気を冷却して凝縮変化させる凝縮器の冷却装置において、
内部空間を有し後方に流入口が形成され、内部に前記凝縮器が収納されるハウジング；
前記ハウジングの前方に設けられ、前記ハウジング内部と通じるように排出口が貫通形成されるカバー；
前記ハウジング内部に回転可能に設けられ、互いに対向して配置される一対のクロスフローファン；および
前記ファンの間に互いに対向するように配置され、前記排出口側に向かって延びる一対の第１案内部材；
を含む凝縮器の冷却装置。
【請求項２】
前記第１案内部材を挟んで配置され、前記ファンから前記排出口側にそれぞれ延びる一対の第２案内部材；
をさらに含み、
前記第１案内部材は一部が湾曲され、前記ファンは相互に逆回転することができ、前記ファンの回転により前記流入口に流入した空気は、前記第１案内部材の間、および前記第１案内部材と前記第２案内部材との間を介してハウジング外部に排出されることを特徴とする、請求項１に記載の凝縮器の冷却装置。
【発明の詳細な説明】
【技術分野】
【０００１】
本発明は、凝縮器の冷却装置に関し、さらに詳細には、凝縮器の熱を外部に放出して冷却させるための凝縮器の冷却装置に関する。
【背景技術】
【０００２】
一般的に、凝縮器は蒸気の熱を奪って冷却させ凝縮変化させる装置をいう。冷却方法は水冷、空冷、蒸発式などがあり、使用目的により様々な構造の凝縮器がある。
【０００３】
凝縮器は、冷蔵庫、冷凍庫、およびエアコンなどのように、冷媒を使用する装置に主に使用され、代表的にエアコンの室外機に必須の構成要素である。エアコンは大きく室内機と室外機から構成されるが、一般的に室内機は、室内の空気を吸入グリルと排出口を介して強制吸入および強制排出させるための送風部および吸入された空気の温度を下げて冷却させるための熱交換器が設けられ、風量および設定温度などを調節するための制御部を介してエアコンの動作制御が可能である。
【０００４】
また、室外機には冷媒を高圧、高温で圧縮するための圧縮機、圧縮機から高圧、高温の冷媒の供給を受け、放熱させて高圧、低温の冷媒に凝縮して液化させる凝縮器、凝縮器から冷媒の供給を受け低圧、低温の冷媒に変換する膨張装置、凝縮器で空気を送風して冷却させるためのファンおよび圧縮機、凝縮器、膨張装置およびファンを収納するためのハウジングからなる。
【０００５】
前記のような機能を遂行する従来技術として、韓国登録実用新案第２０−０２８２１０７号によると、エアコン室外機の内部に設置された凝縮器であって、凝縮器に設けられ室内機から排出される凝縮水を凝縮器の表面に供給することにより、凝縮器を放熱させる放熱手段を含んで構成されるルームエアコン室外機の凝縮器の放熱構造が示されている。
【０００６】
しかし、従来の凝縮器の放熱構造によれば、回転翼の回転数に対比して風量が決定されるため、相対的に出力の高いモータを必然的に採用しなければならないという欠点がある。
【０００７】
つまり、風の強さを決定する要因は、回転翼のサイズおよび回転翼の回転数によって決定されるが、モータが使用するエネルギーの入力の対比出力が必然的に減少し、これを克服するために、風の強さを倍化する技術の提案が急がれている。
【先行技術文献】
【特許文献】
【０００８】
【特許文献１】韓国登録実用新案公報第２０−０２８２１０７号（２００２年７月５日）
【発明の概要】
【発明が解決しようとする課題】
【０００９】
本発明は、凝縮器の冷却のための風量および風速を増加させて冷却効率を改善させることができる凝縮器の冷却装置を提供することに目的がある。
【課題を解決するための手段】
【００１０】
本発明による凝縮器の冷却装置は、放熱のための放熱管を有し、蒸気を冷却して凝縮変化させる凝縮器の冷却装置において、内部空間を有し後方に流入口が形成され、内部に前記凝縮器が収納されるハウジング；前記ハウジングの前方に設けられ、前記ハウジング内部と通じるように排出口が貫通形成されるカバー；前記ハウジング内部に回転可能に設けられ、互いに対向して配置される一対のクロスフローファン；および前記ファンの間に互いに対向するように配置され、前記排出口側に向かって延びる一対の第１案内部材を含むことができる。
【００１１】
好ましくは、前記第１案内部材を挟んで配置され、前記ファンから前記排出口側にそれぞれ延びる一対の第２案内部材をさらに含み、前記第１案内部材は一部が湾曲され、前記ファンは相互に逆回転することができ、前記ファンの回転により前記流入口に流入した空気は、前記第１案内部材の間、および前記第１案内部材と前記第２案内部材との間を介してハウジング外部に排出されることができる。
【発明の効果】
【００１２】
本発明の凝縮器の冷却装置は、風量および風速を増加させて凝縮器の冷却効率を改善させることができる効果がある。
【図面の簡単な説明】
【００１３】
【図１】本発明の一実施例による凝縮器の冷却装置を示す断面図である。
【発明を実施するための形態】
【００１４】
以下、添付された図面を参照して、本発明の好ましい実施例を詳細に説明する。これに先立ち、本明細書および請求の範囲で使用される用語や単語は通常的または辞典的な意味に限定して解釈されてはならず、発明者は、自身の発明を最善の方法で説明するために用語の概念を適切に定義することができる原則に立脚して、本発明の技術的思想に符合する意味と概念で解釈されるべきである。本発明は、様々な変更を図ることができ、様々な実施例を有することができるところ、以下で説明され図面に示された例示は、本発明を特定の実施形態に対して限定するものではなく、本発明の思想および技術範囲に含まれるすべての変更、均等物ないし代替物を含むものと理解されるべきである。また、本出願時点においてこれらを代替できる多様な均等物と変形例があり得ることを理解しなければならない。
【００１５】
図１は、本発明の一実施例による凝縮器の冷却装置を示す断面図である。
【００１６】
本発明の一実施例による凝縮器の冷却装置は、ハウジング１１０、カバー１２０および駆動部３００を含む。
【００１７】
ハウジング１１０は、内部空間を有して一側が開放され、ハウジング１１０の内部には、２つの駆動部３００が互いに向かい合って設けられる。駆動部３００は、それぞれファン３１０を含み、一対のファン３１０は、ハウジング１１０の内部空間に相互に対向するように２列に垂直配置される。また、ハウジング１１０の内部には、凝縮器（図示せず）が設けられる。
【００１８】
ハウジング１１０の背面にはハウジング１１０の内部と通じるように流入口１１１が貫通形成されるが、本発明の一実施例によれば、流入口１１１にはグリルが形成されることが好ましいが、これに限定されるものではない。
【００１９】
ハウジング１１０の中央には開口孔２１１が形成されるが、一部が湾曲された形状を有し、ハウジング１１０内部の空間に互いに対向するように配置される一対の第１案内部材２１０によって開口孔２１１が形成される。
【００２０】
ハウジング１１０の開放された前方にはカバー１２０が結合され、カバー１２０には排出口１２１が貫通形成される。カバー１２０には排出口１２１からファン３１０に向かってそれぞれ延びるように、第２案内部材２２０が形成されるが、一対の第２案内部材２２０の間には、排出口１２１まで延びる第１案内部材２１０が配置される。
【００２１】
したがって、カバー１２０の中央には、第１案内部材２１０によって形成される開口孔２１１が配置され、開口孔２１１の両側には、第１案内部材２１０と第２案内部材２２０によって形成される排出口１２１が配置される。
【００２２】
ファン３１０は、第１案内部材２１０と第２案内部材２２０との間に回転可能なように配置されるが、本発明の一実施例によれば、ファン３１０は回転軸３１２を有し、外側に複数のブレード３１１が放射状に形成されるクロスフローファン（Ｃｒｏｓｓ  Ｆｌｏｗ  Ｆａｎ）でありうる。また、ファン３１０の一側には、ファン３１０に駆動力を伝達することができるようにファン３１０と連結される動力部（図示せず）が配置される。
【００２３】
ファン３１０は、互いに並んで向かい合うように配置されて相互に逆回転することができ、ファン３１０の回転によりハウジング１１０外部の空気が流入口１１１を介してハウジング１１０内部に流入される。ハウジング１１０内部に流入した空気は、ファン３１０を介して第１案内部材２１０と第２案内部材２２０との間に形成される排出口１２１を介してハウジング１１０外部に排出される。また、ハウジング１１０内部に流入された空気の一部は、一対の第１案内部材２１０の間に形成される開口孔２１１を介してハウジング１１０外部に排出される。このとき、開口孔２１１を介して排出される空気は、排出口１２１を介して排出される空気と部分的に合流しながら、空気の流れの速度が上昇することになる。
【００２４】
つまり、排出口１２１を通る高速の空気によって開口孔２１１の前方側の気圧が開口孔２１１の後方側の気圧に比べて相対的に下降し、開口孔２１１の後方の空気が開口孔２１１に流入されて通過し、高速気流が発生する。これにより、ハウジング１１０外部に高速の空気が排出されえ、有効な送風距離、送風速度および送風量の増加が可能である。空気は、ハウジング内部の流入口とファン３１０の周りに配置される放熱管１３０を高速で通り、放熱管１３０と熱交換が発生して、放熱管１３０が冷却されることにより、放熱管１３０と連結された凝縮器が冷却される。
【００２５】
一方、本発明の他の実施例によれば、２列に配置されるファン３１０の回転数を互いに異なるようにして気圧を調節することにより、送風方向を制御することができる。
【００２６】
以上のように、本発明は、限定された実施例と図面によって説明されたが、本発明はこれによって限定されず、本発明が属する技術分野で通常の知識を有する者により、本発明の技術思想と以下に記載される特許請求の範囲の均等範囲内で多様な修正および変形が可能である。
【符号の説明】
【００２７】
１１０：ハウジング          １１１：流入口
１２０：カバー              １２１：排出口
１３０：放熱管              ２１０：第１案内部材
２１１：開口孔              ２２０：第２案内部材
３００：駆動部              ３１０：ファン
３１１：ブレード            ３１２：回転軸
【図１】
2018141426.tif 000003